(57)【特許請求の範囲】
【請求項１】
並設された複数本の細い響線からなりドラムヘッドに対して接離されるドラム用響線において、
前記響線の少なくとも一部の本数を断面多角形の線材で形成したことを特徴とするドラム用響線。
【請求項２】
請求項１記載のドラム用響線において、
線材をコイル状に形成したことを特徴とするドラム用響線。
【請求項３】
請求項１記載のドラム用響線において、
線材を直線状に形成したことを特徴とするドラム用響線。
【請求項４】
請求項１，２または３記載のドラム用響線を備えたことを特徴とするドラム。
【発明の詳細な説明】
【０００１】
【発明の属する技術分野】
本発明は、ドラムセット、マーチングドラム、コンサートドラム等に使用される、主としてスネアドラムに用いられるドラム用響線およびドラムに関する。
【０００２】
【従来の技術】
スネアードラムは、ドラム用響線をドラムヘッドに対して選択的に接触離間させることにより、ドラムヘッドの振動をドラム用響線に伝えて楽器に特有なぱらぱらという軽快な音色をもたらす、いわゆるタブリング効果と称する特殊音響効果が得られるようにしている（実公昭５８−５０３７２号公報等）。
【０００３】
ドラム用響線は、線材からなる複数本の響線を適宜な間隔をおいて複数本並べ、両端を保持部材によって保持したもので、響線の形状の違いや材質の違いにより非常に多くのバリエーションを有している。形状の違いという点では、線材をコイル状に巻いて響線としたものと、直線状の線材を響線として用いたものとの２種類が一般的である。材質としてはスチール、ステンレス、銅系金属等の非鉄金属、ナイロン、アラミド繊維等の合成樹脂など、非常に多くの種類が考えられる。
【０００４】
響線用線材の断面形状は、合成樹脂繊維やワイヤ（撚りをかけたもの）のように厳密には断面形状が円形でないものもあるが、その他の金属製線材については基本的に直径が一定の断面円形状の線材を用いている。このため、ドラムヘッドとの接触の初期状態がコイル状の線材からなる響線と直線状の線材からなる響線とでは異なり、コイル状の響線の場合は点状に、直線状の響線の場合は線状に接触する。ドラムヘッドと響線の接触点は、響線の形状によって異なるが、いずれの響線の場合もどの接触点をとっても基本的に同じ接触状態となる。したがって、どの接触点をとっても音のダンピング効果は一定である。
【０００５】
【発明が解決しようとする課題】
ドラムヘッドと響線の衝突音はドラムヘッドと響線の接触量に比例するため、衝突音の音量を増大させるためには、断面形状が円形の線材を響線として用いたドラム用響線においては、響線の本数を増やすか長さを長くして接触量を増大させる必要があった。
【０００６】
本発明は上記した従来の問題を解決するためになされたもので、その目的とするところは、断面多角形の線材を響線として用いることにより響線自体の本数を増加したり長さを長くしたりすることなく、ドラムヘッドと響線の接触量を増大させてドラムヘッドと響線の衝突音の音量を増大させるようにするとともに、接触点毎に異なったダンピング効果を得ることができるようにしたドラム用響線およびドラムを提供することにある。
【０００７】
【課題を解決するための手段】
上記目的を達成するために第１の発明に係るドラム用響線は、並設された複数本の細い響線からなりドラムヘッドに対して接離されるドラム用響線において、前記響線の少なくとも一部の本数を断面多角形の線材で形成したものである。
【０００８】
第１の発明において、断面形状が多角形の線材は、点、線以外に面での接触状態が得られ、接触量を増大させる。
多角形としては、四角形、五角形、六角形、八角形等が考えられる。
【０００９】
第２の発明に係るドラム用響線は、上記第１の発明において、線材をコイル状に形成したものである。
【００１０】
第２の発明においては、ドラムヘッドと線材の接触の初期状態において、点、線および面で接触する。
【００１１】
第３の発明に係るドラム用響線は、上記第１の発明において、線材を直線状に形成したものである。
【００１２】
第３の発明においては、ドラムヘッドと線材の接触の初期状態において、線材が線または面で接触する。
【００１３】
第４の発明に係るドラムは、上記第１、第２または第３の発明に係るドラム用響線を備えたものである。
【００１４】
第４の発明においては、断面多角形の線材によって形成された響線を備えているので、ドラムヘッドと響線との接触の初期状態での接触量を増大させることができ、同じ本数、長さであっても従来より大きな衝突音が得られる。
【００１５】
【発明の実施の形態】
以下、本発明を図面に示す実施の形態に基づいて詳細に説明する。
図１は本発明に係るドラム用響線を備えたスネアードラムの外観斜視図、図２はコイル状の線材からなる響線を用いたドラム用響線の平面図、図３は直線状の線材からなる響線を用いたドラム用響線の平面図、図４は響線の断面図である。本実施の形態においては、裏面側ドラムヘッドにドラム用響線を装着し、これを裏面側ドラムヘッドに対して選択的に接触離間させるようにしたスネアードラムに適用した例を示す。
【００１６】
全体を符号１で示すスネアードラムは、両端が開放する円筒状の胴本体２を備え、その両端開口部に図示しない表面側（打面側）ドラムヘッドと、裏面側（非打面側）ドラムヘッド３をそれぞれ張設している。これらのドラムヘッドは、動物の皮革からなる天然皮革またはポリエステル、ポリカーボネート等の合成樹脂製フィルムによって形成され、外周縁部が図示しない環状のヘッド枠によってそれぞれ保持されている。また、各ドラムヘッドのヘッド枠は前記胴本体２の各開口部の外周に嵌装され、さらにこれらのヘッド枠を環状の締枠４，５によって覆っている。これらの締枠４，５は、前記胴本体２の外周に取付けた複数個のラグ６に締めボルト７を介してそれぞれ連結されており、これらの締めボルト７を回転させて締枠４，５を接近または離間させることにより、各ドラムヘッドの張力が調節できるように構成されている。すなわち、締めボルト７を締め付けて締枠４，５を胴本体２の中央側に移動させると、締枠４，５が各ドラムヘッドのヘッド枠を押圧して胴本体２の中央側に移動させるため、各ドラムヘッドの張力は大きくなる。反対に締めボルト７を緩めると、締め枠４，５のヘッド枠に対する押圧力が低減するためドラムヘッドの張力は小さくなる。
【００１７】
前記裏面側ドラムヘッド３の表面にはドラム用響線１０が装着されている。ドラム用響線１０は、図２に示すように同一平面上に一定の間隔（例えば、２．９ｍｍ）をおいて配列された細い複数本（１０〜３０本）の響線１１と、これらの響線１１の各端をそれぞれ保持する２つのバンド付き保持部材１２Ａ，１２Ｂとで構成されている。
【００１８】
前記響線１１は、図２に示す実施の形態においてはコイル状の線材１１Ａによって形成されている例を示したが、これに限らず図３に示すように直線状の線材１１Ｂによって形成されているものであってもよい。
【００１９】
前記線材１１Ａ，１１Ｂとしては、鋼製、ステンレス製、ナイロン、アラミド等の合成樹脂でもよい。線材の直径は、０．５〜１．２ｍｍ程度で、撚りをかけたワイヤであってもよい。
【００２０】
また、前記線材１１Ａ，１１Ｂは、いずれも断面形状が図４に示すように正六角形であるが、これに限らず四角形、五角形、八角形等の多角形であってもよい。すなわち、本発明に係るドラム用響線１０は、断面形状が円形の線材によって形成された響線に替えて、多角形の線材１１Ａまたは１１Ｂによって形成された響線１１を用いてドラム用響線１０を形成したものである。また、複数本の響線１１のうち一部の本数を断面形状が多角形の線材１１Ａまたは１１Ｂに置き換えるだけでもよい。すなわち、断面円形のもとの多角形の線材を混合して用いてもよい。
【００２１】
このようなドラム用響線１０は、前記各保持部材１２Ａ，１２Ｂに取付けたバンド１３，１３を前記胴本体２の外周に取付けた２つのバッケン機構１４にそれぞれ連結することにより、従来のドラム用響線と同様に裏面側ドラムヘッド３に対して装着されており、不使用時においては各響線１１が裏面側ドラムヘッド３から離間されて非接触状態に保持され、使用時にレバー１５の操作によって裏面側ドラムヘッド３に接触されるように構成されている。したがって、この接触状態でドラムヘッドを打撃すると、ドラムヘッドの振動が各響線１に伝達され楽器に特有なパラパラという軽快な音色の特殊音響効果が得られる。
【００２２】
ここで、響線１１を断面形状が多角形の線材１１Ａまたは１１Ｂで形成すると、図５に示す断面形状が円形の線材１６を響線として用いた従来のドラム用響線に比べてドラムヘッド３との接触量を増大させることができる。すなわち、コイル状の線材からなる響線について比較すると、従来の断面円形のコイル状線材１６を響線として用いた場合は、ドラムヘッド３との接触の初期状態は全て図５（Ａ）に示すように点状の接触となる。一方、断面形状が六角形のコイル状の線材１１Ａを響線として用いた場合は、図６（Ａ）や図７（Ａ）に示すように、６つの角部ａ１〜ａ６と、６つの面ｂ１〜ｂ６が存在するため、ドラムヘッド３との接触の初期状態で、角部と面が順次接触し、点、線および面での接触となり、接触量が増大する。したがって、線材１１Ａの本数を増やしたり長さを長くすることなく衝突音の音量を従来に比べて増大させることができる。
【００２３】
図３に示した直線状の線材１１Ｂを響線１１として用いた場合は、ドラムヘッド３との接触の初期状態で線状または面状の接触となり、図６（Ａ）に示すように角部が線状に接触する場合は、従来の断面円形からなる直線状の響線と接触量が殆ど変わらないが、図７（Ａ）に示すように面で接触する場合は接触量を大幅に増大させることができる。
【００２４】
つまり、直線状の響線１１Ｂの場合は、裏面側ドラムヘッド３に対する初期状態での接触の状態を変えることにより、音量の選択が可能で、角部による接触の場合は、従来の断面形状が円形の線材１６からなる響線と略同等の音量が得られ、面による接触の場合は、接触量が増大するため、コイル状の線材１１Ａを響線１１として用いた場合と同様に同様に線材１１Ａの本数を増やしたり長さを長くすることなく音量を従来に比べて増大させることができる。
【００２５】
また、コイル状の線材１１Ａからなる響線１１の場合は、面以外に点と線の接触状態も含まれるので、接触点毎にダンピング効果が異なり、従来とは異なった音色の特殊音響効果を得ることができる。
【００２６】
一方、直線状の細い線材１１Ｂからなる響線１１の場合は、細いことによる繊細さ（反応の良さ）と音量を同時に確保することができる。
【００２７】
図５（Ｂ）、図６（Ｂ）、図７（Ｂ）は、ドラムヘッドの打撃時の接触状態を示す図である。
ドラムヘッド３が弾性体であるため、図５（Ａ）、図６（Ａ）、図７（Ａ）に示すドラムヘッド３と線材１１Ａ，１６との接触の初期状態において、ドラムヘッド３を打撃して振動させると、線材１１Ａ，１６がドラムヘッド３に食い込むことによって接触状態が図５（Ｂ）、図６（Ｂ）、図７（Ｂ）のように変化する。すなわち、図６（Ｂ）の場合は図５（Ｂ）の場合より沈み込み量が少なく、図７（Ｂ）の場合は図５（Ｂ）の場合よりも沈み込み量が多くなる。
【００２８】
つまり、断面形状が円形の線材１６からなる響線の場合はどの接触をとっても一定である沈み込み量を、断面形状が多角形の線材１１Ａ，１１Ｂからなる響線１１の場合はいろいろに変化させることができる。沈み込み量は響線１１のダンピング効果につながり、沈み込みが浅ければダンピング効果は小さく、沈み込みが深ければダンピング効果は大きくなる。また、断面形状が多角形の線材１１Ａ，１１Ｂからなる響線１１の場合は、上記した通り接触の初期状態が異なるため、ダンピング効果は一定ではなく、幅広いダンピング効果を得ることができる（より華やかな音色効果となる）。
【００２９】
響線の沈み込み量については、線材１１Ａ，１１Ｂを捩って取付けたり、取付け方を替えることにより、沈み込み量を多段に替えることができる。また、断面形状が多角形の線材からなる響線１１をコイル状の線材１１Ａのような３次元形状としても、直線ワイヤ形状や波折り形状（ジグザグ形状）のような２次元形状等にしても、同様な効果が得られる。
【００３０】
【発明の効果】
以上説明したように本発明に係るドラム用響線およびドラムは、断面形状が多角形からなる線材を響線として用いるように構成したので、ドラムヘッドとの接触の初期状態においてコイル状響線の場合は点、線に加えて面で接触し、直線状響線の場合は線または面で接触させることができる。したがって、響線自体の本数や長さを長くしなくても接触量を断面形状が円形の線材からなる響線に比べて増大させることが可能であるから、大きな衝突音量を得ることができる。また、点、線、面で接触すると、接触の状態が一様でないため、ダンピング効果が異なり、音色の異なった特殊演奏効果を得ることができる。
【図面の簡単な説明】
【図１】  本発明に係るドラム用響線を備えたスネアードラムの外観斜視図である。
【図２】  コイル状の線材からなる響線を用いたドラム用響線の平面図である。
【図３】  直線状の線材からなる響線を用いたドラム用響線の平面図である。
【図４】  響線の断面図である。
【図５】  ドラムヘッドと断面形状が円形の線材からなる響線の接触点を示す図で、（Ａ）はドラムヘッドと響線との接触の初期状態を示す図、（Ｂ）は響線が沈み込んだ状態を示す図である。
【図６】  ドラムヘッドと断面形状が六角形の線材からなる響線の接触点を示す図で、（Ａ）はドラムヘッドと響線との接触の初期状態を示す図、（Ｂ）は響線が沈み込んだ状態を示す図である。
【図７】  ドラムヘッドと断面形状が六角形の線材からなる響線の接触点を示す図で、（Ａ）はドラムヘッドと響線との接触の初期状態を示す図、（Ｂ）は響線が沈み込んだ状態を示す図である。
【符号の説明】
１…スネアドラム、２…胴本体、３…裏面側のドラムヘッド、１０…ドラム用響線、１１…響線、１１Ａ…コイル状の線材、１１Ｂ…直線状の線材。
【図１】
0003707440.tif 000002
【図２】
0003707440.tif 000003
【図３】
0003707440.tif 000004
【図４】
0003707440.tif 000005
【図５】
0003707440.tif 000006
【図６】
0003707440.tif 000007
【図７】
0003707440.tif 000008